(57)【要約】      （修正有）【課題】屋外または屋内に設置可能で、水と光を用いて視覚的な面白味をもたらす演出装置を提供することを目的とする。【解決手段】透明または半透明の容器６と前記容器内の水を、透過または反射した光により視覚的な面白味のある影模様７，7aを作り出す。また、前記透明または半透明の容器６の断面の肉厚を不均一としてプリズム効果を持たせることにより視覚的な面白味を出すこともできる。さらに、建築物または土木構造物の一部として設置し、透明または半透明の部材とこの部材に沿って流下する水を、透過または反射した光により視覚的な面白味のある影模様を作り出す。【選択図】図１
2005104109.tif 000002
【特許請求の範囲】
【請求項１】
透明または半透明の容器と前記容器内の水を、透過または反射した光により影模様を作り出すことを特徴とする水と光を用いた演出装置。
【請求項２】
前記透明または半透明の容器の断面の肉厚を不均一としてプリズム効果を持たせたことを特徴とする請求項１記載の水と光を用いた演出装置。
【請求項３】
建築物または土木構造物の一部として設置される演出装置であって、透明または半透明の部材と前記部材に沿って通過する水を、透過または反射した光により影模様を作り出すことを特徴とする水と光を用いた演出装置。
【発明の詳細な説明】
【技術分野】
【０００１】
本発明は、道路や公園といった屋外のみならず、ホテルや展示場のロビー等屋内、さらに建築物または土木構造物の一部としても設置可能な水と光を用いた演出装置に関する。
【背景技術】
【０００２】
従来、日本の公園に水は付きものと言ってもよいほど両者は密接な関係にあった。公園によっては池があったり、噴水があったり、小川や滝が設けられている場合もある。また、公園には少なからず樹木が植栽され、人々に潤いと安らぎを与えてくれている。しかし、流体である水をその他の部位、すなわち歩道や道路、さらに建物の装飾材料の一部として利用している例は極めて少ない。わずかにモニュメントとしての数例があったに過ぎない（例えば、特許文献１、２参照）。
【０００３】
また、車道と歩道との間に設置されるガードレールは、自動車が衝突した際に歩行者の保護を図ることを主目的としており、一定以上の強度が必要なことから、その多くは鉄板やワイヤーロープ等の鉄鋼材料で製作されていた。したがって、ガードレールにもある程度の美観は考慮されているとはいうものの、水等の流体をガードレールの構成要素としたものは存在しなかったし、公共施設全般についても水を施設の構成要素としたものは少なかった。
【０００４】
さらに、ホテルのロビーや展示場には各種のモニュメントが設置される場合もあるが、水と光を利用した影模様によって視覚的な演出効果を持たせた装置は見当たらない。
【特許文献１】特開平１１−３０１１９１号公報
【特許文献２】特開平１１−３０１１９３号公報
【発明の開示】
【発明が解決しようとする課題】
【０００５】
しかし、前記特許文献１に記載された発明は、隙間をもって幾つかの自然石を積上げた石積みの隙間から水を噴出させるものであり、あくまでも噴水の一種に過ぎない。屋外に設置されている場合、晴天の日であれば条件次第で虹が発生する場合もあるが、その頻度は極めて少なく、光を積極的に利用したものとは言い難い。
【０００６】
また、前記特許文献２に記載された発明は、パイプから水を噴出して幻想的な雰囲気を醸し出し、見る人に不可思議な印象を与えるものであり、光を利用しているが、屋外に設置した場合、その効果は主として夜間に限られ、これもまた用途は極めて限定的とならざるを得ない。
【０００７】
本発明はかかる事情に鑑みてなされたものであり、透明または半透明部材と水、そして光により影模様を作り出し、視覚的な演出効果をもたらす演出装置を提供することを目的とする。
【課題を解決するための手段】
【０００８】
本発明における請求項１の水と光を用いた演出装置は、透明または半透明の容器と前記容器内の水を、透過または反射した光により影模様を作り出すものである。
【０００９】
本発明における請求項２の水と光を用いた演出装置は、請求項１記載の発明において、前記透明または半透明の容器の断面の肉厚を不均一としてプリズム効果を持たせたものである。
【００１０】
本発明における請求項３の水と光を用いた演出装置は、建築物または土木構造物の一部として設置される演出装置あって、透明または半透明の部材と前記部材に沿って流下する水を、透過または反射した光により影模様を作り出すものである。
【発明の効果】
【００１１】
本発明における請求項１の水と光を用いた演出装置によれば、透明または半透明の容器と前記容器内の水を、透過または反射した光により作り出される影模様の濃淡が一様でないことから、影模様に動的な変化が生じ、見る人に不可思議な視覚的効果を与えることができる。
【００１２】
本発明における請求項２の水と光を用いた演出装置によれば、透明または半透明の容器に当る光の方向によりプリズム効果が異なることから、透明または半透明の容器に当る光の方向により異なる影模様を演出することができる。
【００１３】
本発明における請求項３の水と光を用いた演出装置によれば、建築物または土木構造物の一部に設置した演出装置により作り出される影模様により建築物または土木構造物に動的な変化を与えることができる。
【発明を実施するための最良の形態】
【００１４】
本発明は、流体である水を演出装置の構成要素の一つとするものである。以下、本発明を実施するための最良の形態について図面に基づいて説明する。
【実施例１】
【００１５】
図１は本発明の実施例１である演出装置の外観および該装置により作り出される影模様の説明図である。本実施例の演出装置１は、公園内の芝生２と地表面３との境界に設置される手摺り装置または防護柵に適用したものである。この演出装置１は、公園内の芝生２と地表面３との境界に沿って直線状に設置できるのみならず、図に示すように曲線状に設置することもできるものである。芝生２と地表面３との境界には、所定間隔を隔てて複数の支柱４が設けられている。そして、この複数の支柱４の上端にはリング状の保持具５が固定されており、この保持具５により透明または半透明の材料からなる管路６が保持されている。もちろん、支柱４と保持具５を一体として製作することも可能である。そして、透明または半透明部材である管路６は、ガラスまたはアクリル樹脂等から製作されている。さらに、この管路６内には管路６の一端から他端へ流体供給装置（図示せず）から、適量の水が供給され、管路６内を流れる。なお、流体供給装置は水タンクと電動モータとポンプを主たる構成要素とするものであり、従来から周知の技術を用いることができるので説明は省略する。
【００１６】
次に、この実施例１である演出装置の作用について説明する。本装置１は、公園内の芝生２と地表面３との境界に設置されており、晴天の日の昼間であれば、太陽光に照らされる。太陽光の方向と高度は時間とともに変化するが、例えば図１において地表面３より芝生２が南側に位置しているとすれば、太陽光は演出装置１のうち、芝生２側の斜め上部から当ることになる。そして、支柱４や管路６に当った太陽光の全部または一部は遮断され、地表面３の上面に影模様７，7aが投影されることになる。図２は、地表面３の上面に管路６の影模様７，7aが現れた状態を示している。
【００１７】
ここで、影模様７は管路６および水８が光により直接投影された影模様である。したがって、この直接影模様７は光の透過率が少ないことから比較的濃い影模様となる。一方、影模様7aは管路６および水８が光により直接投影された影模様ではなく、管路内面の光の反射および光の干渉に起因する間接的な影模様である。したがって、この間接影模様7aは光の透過率が高いことから比較的淡い影模様となる。
【００１８】
ここで重要なことは、管路６は透明または半透明な部材であるガラス等により構成され、しかも管路６の内部には流体である水８が流れていることである。さらに、水８は管路６の内径断面を満たす状態ではなく、図３に示すように管路６の断面の一部にのみ流される。したがって、管路内面6aの上部は水８ではなく、空気９が存在することになる。このように管路６断面の一部にのみ水８を流すことにより、管路６であるガラスと水８、さらに空気９に対する太陽光の透過率と屈折率がそれぞれ異なることから、管路６外面に当った太陽光の一部は水を通過するが、他の一部は水面で反射され、再度ガラス内面6aで反射して管内の水８を通過する場合もある。その結果、地表面３上に濃淡差のある影模様７，7aができる。そして、水８をある程度の速度で管路６内に供給すると水面は静水面ではなくなり、僅かながら波立たせることができる。この波立った水面に太陽光が当ることにより、地表面３上に映る影模様７，7aも静止状態の影模様７，7aではなく、波の動きにより影模様７，7aに「ゆらぎ」が生じることになる。この「ゆらぎ」による動的な影模様７，7aは、地表面３上を歩く人に視覚的な面白みを与え、新鮮な印象を与えることができる。
【実施例２】
【００１９】
図４は本発明の実施例２である演出装置11の外観図である。本実施例も防護柵に適用したものであり、透明または半透明の管路６が管路長に沿って一部が異なる径を有することを特徴とするものである。支柱４，４の間の管路6b径は他の部分の管路6c径より大きな寸法を有している。したがって、本実施例の演出装置11に太陽光が当ると、地表面３上にできる影模様７にも管路長に沿って影模様７の幅が狭い部分と広い部分が生じる。したがって、演出装置11の変化に富んだ形状と影模様７の変化に富んだ形状が相俟って、歩行者の視覚に美観をもたらし意匠的効果を発揮することができる。
【実施例３】
【００２０】
図５は本発明の実施例３である演出装置の管路断面図であり、具体的には防護柵の管路断面を示している。本実施例では、透明または半透明の管路として断面の内外形状が非円形である管路6dを使用している。図５では管路6dの内面形状、外面形状とも等辺６角形としているが、断面形状は等辺６角形に限られるものではなく、他の等辺多角形を採用することもできるし、不等辺多角形とすることもできる。これら断面形状が多角形の管路6dは、製造工程における熱変形を利用して比較的容易に製作することができる。
【００２１】
本実施例によれば、管路6dに対して太陽光の当る角度が変化すると、地表面３上にできる影模様７の投影幅も変化する。したがって、外形形状が円形断面の管路６に比較すると地表面３上にできる影模様７の変化に多様性を持たせることができる。その他に管路6d自体の形状も円形断面の管路６に較べると変化に富んでおり、見る人に新鮮な印象を与えることができる。
【実施例４】
【００２２】
図６は本発明の実施例４である演出装置の管路断面図であり、具体的には防護柵の管路断面を示している。本実施例は、透明または半透明の管路６として円形断面を有する管路6eを用いるものであるが、断面の内径円の中心12と外径円の中心13との間に所定のオフセット量が与えられている。したがって、管路の内径中心12は外径中心13に対して偏心しており、管路6eの肉厚は周方向に沿って異なることになる。
【００２３】
このような透明または半透明の管路6eに光が当ると、管路周囲の肉厚差によって一種のレンズとなり、プリズム効果が生じる。その結果、地表面３上にできる影模様７にも部分的に暗い所と明るい所ができる。また、この影模様７の暗い所と明るい所は、管路6eに当る太陽光の角度が変化すると、角度変化に応じて位置も変化する。すなわち、時間経過とともに影模様７の明るい所と暗い所の位置が刻々と変化することになり、変化に富んだ影模様７を演出することができる。
【００２４】
なお、本発明は前記実施例に限定されるものではなく、種々の変形実施が可能である。たとえば、前記実施例では公園内の芝生２と地表面３との境界に設置された防護柵１を用いて説明したが、池と地表面３との境界部に設置することもできるし、水路と地表面３との境界部に設置することもできる。さらに、広場の一部に設置することもできる。要するに光の当る条件下であれば、屋内外を問わず設置することができるものである。
【実施例５】
【００２５】
図７は本発明の実施例５である演出装置21の外観および該装置により作り出される影模様の説明図である。本実施例は実施例１に似たものであるが、実施例１の演出装置は防護柵としての用途であったが、本実施例は防護柵というより境界柵としての用途が主である。本実施例の構成は実施例１とほとんど同じであるが、前記用途の相違から本実施例では透明または半透明部材として管路ではなく、開渠26が用いられている。
【００２６】
図面に基づいて具体的に述べると、芝生２と地表面３との境界の地表面３には所定間隔を隔てて支柱24が設けられている。また、この複数の支柱24の上端には開渠26が固定されており、この開渠26は透明または半透明部材であるガラスまたはアクリル等の樹脂から製作されている。そして、この開渠26には実施例１で述べたものと同様にして開渠26の一端から他端へ流体供給装置（図示せず）から適量の水８が供給され、開渠26内を流れる。このようにすることにより、開渠26に太陽光が当ると地表面３に影模様27，27aができる。この影模様27，27aは実施例１に説明したものと同様に濃淡が一様ではなく、濃い直接影模様27と淡い間接影模様27aとからなる。
【００２７】
この影模様27，27aは水面の波立ち情況によって影響を受け、影模様27，27aに「ゆらぎ」が生じる。また、例えば水面上に木の葉が浮いている場合には、地表面３にできる影模様にも木の葉の影28が投影されて、一層視覚的効果のある影模様27が現われる。さらに、水中に有色または有色半透明物体、例えば有色ポリカーボネートの薄片を混入すると、地表面３に形成される影模様27，27aにも有色模様が投影されて部分的に色彩のある影模様27，27aを演出することができる。したがって、視覚的効果をより一層高めることができる。
【実施例６】
【００２８】
図８は本発明の実施例６である演出装置31の外観および該装置により作り出される影模様37，37aの説明図である。本実施例による演出装置31は、上述した各演出装置とは形態が大きく異なる。この演出装置31は公園等の屋外のみならず、ホテルのロビー等の屋内にも設置されるモニュメントとしての用途に供されるものである。
【００２９】
透明または半透明部材であるガラス等により製作された管路36を主部材とするものであり、この管路36は全体としてスパイラル形状をしているが、スパイラルの径は地表面３に近い下部は大きく、上部になるにしたがって小さな径にされ、最上部はスパイラル円の中心に位置するように形成されている。そして、スパイラル円の中心の地面に立設された支柱34の上端面34aに前記スパイラル管の上端36aが連結されている。また、スパイラル管36の途中数箇所にはスパイラル管36を保持するための支持棒35が設けられている。なお、支柱34には必ずしも透明部材を使用する必要はないが、透明または半透明部材により製作してもよい。また、支柱34は中空部材で構成され、支柱上端部34aにおいて中空路34bはスパイラル管36の上端36aと連結されている。したがって、支柱34の中空路34bとスパイラル管36の内部とは連続した流路を構成することになる。ここで、支柱34の下部から送水装置（図示せず）により水を送水すると、この水は支柱34の中空路34bを上昇してからスパイラル管36の上部に送られ、スパイラル管36の中を地球の重力によりゆっくりと落下する。落下の速度は水の粘度とスパイラル管36の螺旋勾配により定まることになるが、スパイラル管36の勾配による影響が大きい。したがって、スパイラル管36内の水の落下速度を調節するためにはスパイラル管36の勾配を一定にするのではなく、ところどころに水平になる部分を設けて水の流れる速度を適度に調整するようにしてもよい。
【００３０】
このスパイラル管36と支柱34により構成される構造物に光が当ると、地表面３に影模様37，37aが形成される。この影模様37，37aも濃淡が一様ではなく、濃い直接影模様37と淡い間接影模様37aとからなる。
【００３１】
また、影模様37，37aの濃淡はスパイラル管36内を流下する水の影響によっても影の濃いところと薄いところができる。また、この影模様37，37aの濃淡の度合いと位置は水の流下により刻々と変化することから動的な影模様37を演出することができる。
【実施例７】
【００３２】
図９は本発明の実施例７である演出装置41の外観および該装置により作り出される影模様47の説明図である。本実施例は本発明を東屋に適用したものである。地表面３から立設した支柱44の上部には透明または半透明部材で製作された屋根46が固定されている。この東屋の支柱44は透明部材である必要性はないが、実施例６に用いた支柱と同様に中空部材が用いられる。そして、この支柱44の中空路44aは支柱上端部44bにおいて開口している。したがって、支柱44の下部から送水装置（図示せず）により水８を送水すると、水８は支柱44の中空部44aを上昇して支柱上端部44bの開口部から屋根46上へ流出することになる。この流出した水８は屋根46の全面にわたって流下するということはなく、幾条かの筋を形成しながら、屋根46の斜面を伝って流下することになる。このような状態のところに太陽光が当ると、透明または半透明部材である屋根46を通過した光によって地表面３に濃淡のある陰模様47が形成される。屋根46上を水８が流下していない場合には地表面３に形成される影模様47の濃淡は一様であるが、水８が屋根46上を幾条かの筋となって流下する場合には、濃淡のある影模様47が形成される。また、屋根46上を流下する水８の筋は常に同じ位置を流下するというわけではなく、風向きによって時々変化することもある。したがって、本実施例による演出装置41によって作り出される陰模様47も動的変化に富んだものとすることができ、東屋の下で休憩をとる人々に視覚的な面白味と清涼感を与えることができる。
【００３３】
なお、屋根46の下縁周囲には断面がＵ字形状を有する樋46aが設けられており、屋根46の下縁周囲から水８が流下するのを防止し、樋46aの一部から水８を回収するシステム（図示せず）が設けられている。このことにより水８を循環利用することができ、水８の消費を抑制することができる。また、桶46aの部材に透明または半透明の部材を使用することにより、実施例５と同様な影模様を演出することができる。
【実施例８】
【００３４】
図１０は本発明の実施例８である演出装置51の外観および該装置により作り出される影模様57の説明図である。本実施例は家屋52の庇56を透明または半透明部材で構成したものであり、この庇56の上に水８を供給するパイプ54を配置して別途地上に配置した送水装置（図示せず）から水８を供給して庇56上に適宜水８を流下させるものである。そして、この庇56に太陽光が当ると、地表面３上にできる庇56の陰にも庇56上を流下する水８によって陰模様57に濃淡が生じ、影模様57に動的な変化を与えることができる。したがって、この家屋52の近辺をいる人々に視覚的な面白味を与えることができる。
【００３５】
なお、実施例７と同様に本実施例においても、庇56の下縁には断面がＵ字形状を有する樋56aが設けられており、庇56の下縁各部から水８が流下するのを防止し、樋56aの端部から水８を回収するシステム（図示せず）が設けられている。このことにより水８を循環利用することができ、水８の消費を抑制することができる。また、桶56aの部材に透明または半透明の部材を使用することにより、実施例５と同様な影模様を演出することができる。
【産業上の利用可能性】
【００３６】
本発明は、道路や公園といった屋外のみならず、ホテルや展示場のロビー等の屋内、さらに建築物の一部としても設置可能な水と光を用いた演出装置として広く産業上利用することができる。
【図面の簡単な説明】
【００３７】
【図１】演出装置の外観および影模様を示す説明図である。（実施例１）
【図２】演出装置による影模様の生成を示す説明図である。（実施例１）
【図３】演出装置の管路断面図である。（実施例１）
【図４】演出装置の外観図である。（実施例２）
【図５】演出装置の管路断面図である。（実施例３）
【図６】演出装置の管路断面図である。（実施例４）
【図７】演出装置の外観および影模様を示す説明図である。（実施例５）
【図８】演出装置の外観および影模様を示す説明図である。（実施例６）
【図９】演出装置の外観および影模様を示す説明図である。（実施例７）
【図１０】演出装置の外観および影模様を示す説明図である。（実施例８）
【符号の説明】
【００３８】
１,11,21,31,41,51  演出装置
６,26  容器（管路）
８  水
【図１】
2005104109.tif 000003
【図２】
2005104109.tif 000004
【図３】
2005104109.tif 000005
【図４】
2005104109.tif 000006
【図５】
2005104109.tif 000007
【図６】
2005104109.tif 000008
【図７】
2005104109.tif 000009
【図８】
2005104109.tif 000010
【図９】
2005104109.tif 000011
【図１０】
2005104109.tif 000012